(57)【要約】  【課題】  低圧室内の圧力を一方的に減圧及び復圧せず、低圧室滞在者に映像及び音声で案内表示し、不快感の解消や耳抜きを容易に制御する。  【解決手段】  低圧室滞在者が入る低圧室筐体と、前記低圧室筐体の内部圧力を所定の圧力制御プログラムに基いて制御する圧力制御装置と、前記低圧室筐体内に設けられ且つ前記圧力制御プログラムを一時的に中止する一旦停止ボタンと、前記低圧室筐体内に所定の映像及び音声を出力するオーディオビジュアル装置とを備えた低圧室において、前記低圧室筐体の内部圧力を所定の圧力まで減圧する減圧過程と、前記所定の圧力から平地の圧力まで復圧する復圧過程と、前記減圧過程及び前記復圧過程の少なくとも一方において、減圧又は復圧の状態に対応する映像及び音声を前記低圧室筐体内に出力する過程と、前記映像及び音声が出力された後に前記一旦停止ボタンが作動した場合、減圧又は復圧を一時的に中止する割込み過程とを有する。  【選択図】  図１
2007044486.tif 000002
【特許請求の範囲】
【請求項１】
低圧室滞在者が入る低圧室筐体と、前記低圧室筐体の内部圧力を所定の圧力制御プログラムに基いて制御する圧力制御装置と、前記低圧室筐体内に設けられ且つ前記圧力制御プログラムを一時的に中止するための一旦停止ボタンと、前記低圧室筐体内に所定の映像及び音声を出力するオーディオビジュアル装置とを備えた低圧室において、
前記低圧室筐体の内部圧力を所定の圧力まで減圧する減圧過程と、
前記所定の圧力から平地の圧力まで復圧する復圧過程と、
前記減圧過程および前記復圧過程の少なくとも一方において、減圧または復圧の状態に対応する映像及び音声を前記低圧室筐体内に出力する過程と、
前記映像及び音声が出力された後に前記一旦停止ボタンが作動した場合には減圧または復圧を一時的に中止する割込み過程とを有している、ことを特徴とする低圧室の圧力制御方法。
【請求項２】
前記圧力制御プログラムが、
前記減圧過程を制御するための圧力制御減圧プログラムと、
前記復圧過程を制御するための圧力制御復圧プログラムと、
前記減圧過程および前記復圧過程の少なくとも一方において、前記一旦停止ボタンが作動した時に起動し且つ前記一時的に中止する割込み過程を制御するための割込み制御プログラムとを有してなる、ことを特徴とする請求項１記載の低圧室の圧力制御方法。
【請求項３】
前記割込み制御プログラムが、減圧または復圧を一時的に停止させると共に、減圧過程においては前記低圧室筐体の内部圧力を復圧させ、復圧過程においては前記低圧室筐体の内部圧力を減圧させるように前記圧力制御装置を制御する、ことを特徴とする請求項２記載の低圧室の圧力制御方法。
【請求項４】
低圧室滞在者が入る低圧室筐体と、前記低圧室筐体の内部圧力を所定の圧力制御プログラムに基いて制御する圧力制御装置とを備えた低圧室において、
前記低圧室筐体の内部圧力を所定の圧力まで減圧する減圧過程と、
前記所定の圧力から平地の圧力まで復圧する復圧過程と、
前記減圧過程および前記復圧過程の少なくとも一方において、減圧または復圧を一時的に中止する割込み過程とを有し、
前記一時的に中止する割込み過程を選択的に起動させる、ことを特徴とする低圧室の圧力制御方法。
【発明の詳細な説明】
【技術分野】
【０００１】
近年、高地環境における人の生理的意義の研究が盛んになってきた。ここで、「高地」とは低圧・低酸素分圧環境を意味する語であり、平地で１気圧のとき高度１８００ｍ、２４００ｍではそれぞれ０．８０気圧、０．７４気圧となる。１９９２年バルセロナオリンピックでは２０名が、また、１９９６年アトランタオリンピックでは２５名の高地出身選手が入賞し、また日本の多くのトップアスリートは年に何度も高地トレーニングを行ったり、高地に移り住んでトレーニングを続けている。
【０００２】
このように、「高地」や「高地トレーニング」は、長距離種目やマラソンなどで成功するためのキーワードの一つとなっている。また日常的に運動しない人にとっても、個人差はあるものの高地に滞在することにより心肺機能をはじめとする生理機能の順応が起こり、平地と同一レベルの負荷であれば高地のほうが相対的に高い生活負荷となり、筋微小循環及び筋組織の酸素運搬能力の向上によって、筋細胞内エネルギー代謝の効率化などの積極的効果が期待できる。
【背景技術】
【０００３】
従来、身体を鍛える運動施設を気圧利用により行う運動用気密室（例えば、特許文献１参照）や、トレーニング用加減圧カプセル（例えば、特許文献２参照）や、擬似高地トレーニングを想定した減圧訓練施設（例えば、特許文献３参照）や、運動選手が長期滞在できる減圧施設（例えば、特許文献４参照）や、地下又は半地下に設置された運動用大規模減圧訓練施設（例えば、特許文献５、６参照）が提案されているが、これらは何れも低圧室の構造に関するものである。さらに、疾病予防又は治療用の気圧コントロールカプセル室（例えば、特許文献７参照）や、特殊組成空気供給装置（例えば、特許文献８参照）や、低酸素室の空気供給装置及び空気供給（例えば、特許文献９参照）がそれぞれ提案されているが、これらは何れも予め定めた圧力及び酸素濃度に制御する方法であり、低圧室滞在者の体調を鑑みて安心、安全を目指して低圧室滞在者と対話しながら圧力制御する具体的態様については一切言及されていない。
【特許文献１】特公平０２−４２９９２号公報
【特許文献２】実開平０２−１１８５７１号公報
【特許文献３】特開平０８−１１２３７３号公報
【特許文献４】特開平１１−３３６３７３号公報
【特許文献５】特許第２９１９１１１号公報
【特許文献６】特開２０００−５４６６６号公報
【特許文献７】特開昭６１−２９３４６０号公報
【特許文献８】特開平１０−２１６４５５号公報
【特許文献９】特開平１１−２７６６３５号公報
【発明の開示】
【発明が解決しようとする課題】
【０００４】
従来技術の欠点である予め定められた低圧室の減圧及び復圧曲線に基づいて、低圧室内の圧力を一方的に減圧および復圧したりすると、個人差はあるものの不快感の解消や耳抜きについて其の解消にバラツキが生じることがある。その上、気密状態の室内に於いて圧力制御を行うため、低圧室滞在者の内心に生じる不安感のため運動用の訓練や疾病治療などが困難になるという問題点がある。
【０００５】
本発明は、低圧室滞在者の不安感や不快感の解消や耳抜きを容易に行えるように、低圧室滞在者にオーディオビジュアル装置による映像及び音声で案内表示し、滞在者に生じる不安感や不快感の解消や耳抜きが容易にできるように低圧室の内部圧力を制御することを目的とする。
【課題を解決するための手段】
【０００６】
上記課題を解決するために、請求項１の発明は、低圧室滞在者が入る低圧室筐体と、前記低圧室筐体の内部圧力を所定の圧力制御プログラムに基いて制御する圧力制御装置と、前記低圧室筐体内に設けられ且つ前記圧力制御プログラムを一時的に中止するための一旦停止ボタンと、前記低圧室筐体内に所定の映像及び音声を出力するオーディオビジュアル装置とを備えた低圧室において、前記低圧室筐体の内部圧力を所定の圧力まで減圧する減圧過程と、前記所定の圧力から平地の圧力まで復圧する復圧過程と、前記減圧過程および前記復圧過程の少なくとも一方において、減圧または復圧の状態に対応する映像及び音声を前記低圧室筐体内に出力する過程と、前記映像及び音声が出力された後に前記一旦停止ボタンが作動した場合には減圧または復圧を一時的に中止する割込み過程とを有していることを特徴とする。
【０００７】
それ故、低圧室滞在者は、該低圧室の内部圧力を所定の圧力制御プログラムに基いて、減圧および復圧にそれぞれ制御する場合、減圧過程により所定の圧力に減圧させて高地に滞在しているのと同様に心肺機能を初めとする生理機能の順応が起り、酸素運搬能力を向上させてエネルギー代謝の効率化を図れる作用を呈する。
【０００８】
請求項２の発明である前記圧力制御プログラムが、前記減圧過程を制御するための圧力制御減圧プログラムと、前記復圧過程を制御するための圧力制御復圧プログラムと、前記減圧過程および前記復圧過程の少なくとも一方において、前記一旦停止ボタンが作動した時に起動し且つ前記一時的に中止する過程を制御するための割込み制御プログラムとを有してなることを特徴とする。また、請求項３の発明である前記割込み制御プログラムが、減圧または復圧を一時的に停止させると共に、減圧過程においては前記低圧室筐体の内部圧力を復圧させ、復圧過程に置いては前記低圧室筐体の内部圧力を減圧させるように前記圧力制御装置を制御するものである。
【０００９】
それ故、前記圧力制御プログラムは、低圧室の内部圧力を減圧する減圧プログラムと前記内部圧力を復圧する復圧プログラムと前記減圧および復圧の少なくとも一方において、一旦停止ボタンが作動すると起動する割込み制御プログラムを有している。そして、前記割込み制御プログラムは、低圧室滞在者の状態が不快になったり耳抜きができなくなった場合に、前記低圧室の内部圧力が減圧過程又は復圧過程の少なくとも一方において、前記オーディオビジュアル装置の一旦停止ボタンを操作すると、前記減圧または復圧過程を一時的に停止させると共に、減圧過程にあっては内部圧力を復圧し、また復圧過程にあっては内部圧力を減圧させることにより、滞在者を容易に回復させる作用を呈する。
【００１０】
請求項４の発明は、低圧室滞在者が入る低圧室筐体と、前記低圧室筐体の内部圧力を所定の圧力制御プログラムに基いて制御する圧力制御装置とを備えた低圧室において、前記低圧室筐体の内部圧力を所定の圧力まで減圧する減圧過程と、前記所定の圧力から平地の圧力まで復圧する復圧過程と、前記減圧過程および前記復圧過程の少なくとも一方において、減圧または復圧を一時的に中止する割込み過程とを有し、前記一時的に中止する割込み過程を選択的に起動させることを特徴とする。
【００１１】
それ故、低圧室滞在者が入る低圧室筐体の内部圧力を所定の圧力制御プログラムに基いて制御する圧力制御装置を備えた低圧室において、前記減圧過程および前記復圧過程の少なくとも一方において、減圧または復圧を一時的に中止する割込み過程とを有し、前記一時的に中止する割込み過程を選択的に起動させることができるため、滞在者が不快になった場合には減圧過程を選択的に中止して、復圧過程に移行できるので安全に運動や治療を行うことが出来る作用を呈する。
【発明の効果】
【００１２】
本発明によれば、予め定められた低圧室の減圧及び復圧曲線に基づいて、低圧室内の圧力を一方的に減圧及び復圧せず、圧力制御装置と電気的に連携するオーディオビジュアル装置により低圧室滞在者に映像及び音声で案内表示し、且つ、低圧室滞在者が体調不良を訴える場合、滞在者のボタン操作または外部からの遠隔操作により減圧過程、復圧過程の何れの時点でも、直ちに減圧動作や復圧動作を一旦停止し、不快感の解消や耳抜きを容易に且つ安全に行えるようにした。そのため、低圧室をスポーツあるいは疾病治療のような特定分野だけではなく、広く一般の人が利用することができる。また、減圧過程及び復圧過程の少なくとも一方において、減圧または復圧を一時的に中止する割込み制御プログラムを選択的に起動できるようにしてあれば安心してこの低圧室を利用することができる。
【発明を実施するための最良の形態】
【００１３】
本発明の実施形態を図面に基いて説明すると、図１は本発明の低圧室の圧力制御系統図である。低圧室１は、開閉可能な気密性を有した低圧室筐体２と減圧ポンプ８と圧力制御装置１８と圧力センサー１９と圧力制御弁１４及びディスプレー２０とスピーカー２１、２２とからなるオーディオビジュアル装置２８、並びに、圧力制御弁１４を備えた圧力制御装置１８と低圧室筐体２に設けた圧力センサー１９及び過減圧防止弁１５と低圧室筐体２に設けた室外非常弁１６とで過減圧防止装置を構成してある。
【００１４】
この低圧室1は、低圧室筐体２に配設された排気口３と対向する位置に複数の吸気口４、５、６、７が配設されている。排気口３は大氣に連通する減圧ポンプ８の減圧ポンプ吸入口９とそれぞれ配管接続してある。各吸気口４〜７には、低圧室筐体２と圧力制御装置１８とに接続した圧力制御弁１４と、低圧室筐体２と圧力制御装置１８とに接続した過減圧防止弁１５と、前記低圧室筐体２に接続した室外非常弁１６と、低圧室筐体２に設けた室内非常弁１７とをそれぞれ配管接続し、さらに、前記各弁１４、１５、１６、１７の他端に位置してフィルター３０に設けた各フィルター口１０、１１、１２、１３をそれぞれ配管接続してある。フィルター３０は、例えば活性炭フィルター２５とＨＥＰＡフィルター２６を組合わせて構成してある。
【００１５】
次に、圧力制御方法について説明する。平地から高地の気圧環境に向かう減圧過程において、減圧ポンプ８を起動させると、圧力制御装置１８内蔵のコンピューター自動圧力制御減圧プログラム（図示せず）が自動的に起動し、圧力制御装置１８と圧力センサー１９と圧力制御弁１４との連携により、低圧室１内の圧力を平地から高地に向って所望の減圧曲線に制御する。
【００１６】
本実施例では、所望の圧力を高度４０００ｍの圧力に設定したが、平地から高度４０００ｍまで短時間で一気に減圧すると、低圧室滞在者は不快感を呈したり、体調不良を訴えることがある。そのため、低圧室１内には、例えば、高度１０００ｍ毎に圧力制御装置１８と電気的に連携しつつ配設してあるオーディオビジュアル装置２８のディスプレー２０の表示部２３に映像及び文字で現在状況を表示し、また、スピーカー２１、２２から音声出力で「ただいま高度１０００ｍです。体調の悪い方はいませんか。」などと案内表示し、さらに「体調の悪い方がいる場合には一旦停止又は平地復帰ボタンを押して下さい。また、そのまま減圧を継続する場合には継続ボタンを押して下さい。」などと案内表示する。そして、平地と高地の中間高度ではディスプレー２０の表示部２３に文字表示し、減圧過程のいかなる時点でも一旦停止又は平地復帰ボタンを操作することにより、いつでも一旦停止または平地復帰のための作動を開始する機能を有している。このボタン操作は滞在者が指導者と話しながら操作することも出来るし、また、所定時間内に所定ノ操作をしないと、安全の為、自動的に操作するようにしてもよい。尚、一旦停止ボタンや平地復帰ボタンは、前記オーディオビジュアル装置に備えてある複数のボタン群２４の任意位置のものを必要に応じて選定する。
【００１７】
上記の減圧過程において、体調が悪い方がいる場合の一旦停止及び平地復帰方法を具体的に説明する。一旦停止ボタンを押したりして操作すると、圧力制御装置１８内蔵の圧力制御減圧プログラム（図示せず）が一旦停止し、低圧室１内の圧力が高度で５００ｍ程度降下するような割込み圧力制御プログラムが割込む機能を有している。この割込み圧力制御プログラムが終了すると、圧力制御装置１８は再び減圧動作を開始する。
【００１８】
また、平地復帰ボタンを押したりして操作すると、圧力制御減圧プログラム（図示せず）が終了し、ついで、圧力制御復圧プログラム（図示せず）に移行し、高地から平地に向って徐々に平地の圧力まで復圧する機能を備えている。
【００１９】
高地から平地に向かう復圧過程においては、上記と同様に、圧力制御装置１８内蔵の圧力制御復圧プログラム（図示せず）が自動的に起動し、圧力制御装置１８と圧力センサー１９と圧力制御弁１４との連携により、低圧室１内の圧力を所望の復圧曲線に基いて平地の圧力になるよう上昇させる。
【００２０】
本実施例では、所望の圧力を高度４０００ｍとしたが、高度４０００ｍから平地まで短時間に一気に復圧すると、低圧室滞在者が不快感を呈したり、体調不良を訴えることがあるので、減圧過程と同様に、高度１０００ｍ毎に低圧室１内に圧力制御装置１８と電気的に連携して配設してあるオーディオビジュアル装置２９のディスプレー２０の表示部２３に映像及び文字を出力表示し、また、スピーカー２１、２２からは音声出力で「ただいま高度１０００ｍです。体調の悪い方はいませんか。」などと案内表示し、さらに「体調の悪い方がいる場合には一旦停止ボタンを押して下さい。また、そのまま復圧を継続する場合は継続ボタンを押して下さい。」などと案内表示する。その中間高度ではディスプレー２０の表示部２３に文字表示し、復圧過程のいかなる時点においても、一旦停止ボタンを操作すると、平地の圧力まで復帰するように作動する機能を有している。
【００２１】
上記の復圧過程において、体調が悪い方がいる場合の一旦停止方法を具体的に説明する。一旦停止ボタンを押したりして操作すると、圧力制御装置１８内蔵の圧力制御復圧プログラム（図示せず）が一旦停止し、低圧室１内の圧力が高度で５００ｍ程度上昇するような割込み圧力制御プログラム（図示せず）が割込む機能を備えている。この割込み圧力制御プログラムが終了すると、圧力制御装置１８は再び復圧動作が開始する機能を有している。
【００２２】
次に、減圧過程において減圧動作を一旦停止し、復圧する方法について具体的に説明する。上述の実施例では、復圧する圧力を高度５００ｍ程度と述べたが、必ずしもこれに限定されるものではない。復圧する圧力は高度０ｍ近傍すなわち殆ど高度を維持した状態でもよく、また高度１０００ｍ程度まで復圧してもよい。
【００２３】
次に、復圧過程において復圧動作を一旦停止し、減圧する方法について具体的に説明する。上記の実施例では、減圧する圧力を高度５００ｍ程度と説明したが、必ずしもこれに限定されるものではない。減圧する圧力は高度０ｍ近傍すなわち殆ど高度を維持した状態でもよく、また高度１０００ｍ程度まで減圧してもよい。
【００２４】
次に、割込み過程すなわち割込み制御プログラムについて説明する。低圧室滞在者の体の状態が急に不快になったり耳抜きができなくなったりした場合には、前記低圧室の内部圧力が減圧過程又は復圧過程の少なくとも一方において、前記オーディオビジュアル装置の一旦停止ボタンを操作すると、前記減圧または復圧過程を一時的に停止させると共に、減圧過程にあっては低圧室の内部圧力を復圧し、また復圧過程にあっては低圧室の内部圧力を減圧させるように前記圧力制御装置を制御するため、滞在者は良好な状態に回復できる作用を呈する。この一旦停止ボタンは、通常低圧室滞在者がボタン操作を行うこともできるが、低圧室の外部から遠隔操作することも可能であり、これにより滞在者の安全を護ることができる。
【００２５】
この割込み制御プログラムは、前記減圧または復圧過程の少なくとも一方において、前記減圧または復圧を一時的に中止する過程を有している。このように、前記減圧過程および復圧過程の少なくとも一方において、減圧又は復圧を一時的に中止する割込み過程を選択的に起動できるようにしてあるため、滞在者の気分が悪くなった場合には、選択的に減圧又は復圧の過程を起動して高地の圧力を平地の圧力に変化出来るようにしてあるので、安全に利用することが出来る作用を有するものである。
【図面の簡単な説明】
【００２６】
【図１】本発明の低圧室の圧力制御系統図である。
【符号の説明】
【００２７】
１    低圧室  
２    低圧室筐体
３    吸気口
４    吸気口
５    吸気口
６    吸気口
７    吸気ロ
８    減圧ポンプ
９    減圧ポンプ吸入口
１０    フィルター口
１１    フィルター口
１２    フィルター口
１３    フィルター口
１４    圧力制御弁
１５    過減圧防止弁
１６    室外非常弁
１７    室内非常弁
１８    圧力制御装置
１９    圧力センサー
２０    ディスプレー
２１    スピーカー
２２    スポーカー
２３    表示部
２４    操作ボタン群
２８    オーデイオビジュアル装置
３０    フィルター
【図１】
2007044486.tif 000003